(57)【要約】【課題】ビデオ・写真機器用の即時取付装置【解決手段】ビデオ・写真機器（２）に固定されることのできるプレート（３）の形状にある第１取付部材と、支持用ヘッド（１）へ固定されることのできる、前記プレート（３）のための台座（５）を含む第２取付部材とを備え、前記台座の中には、前記プレートを取り外し可能にロックするように設計されたプレッサ（１１）に作用する止め歯（２６）を有するバネ負荷型アーム（２１）を備える安全装置（２０）が設けられている。止め歯（２６）は、前記台座に対向している部分に傾斜した平面のある斜面（２７）と、対向部分における止め肩部（２８）とを有しており、前記プレッサは、前記プレートが解除されて前記台座から解除される位置と、前記プレートが前記台座の中にロックされるロック位置とからの通り過ぎにおいて、前記斜面に対する位置から前記肩部に対する位置まで通り過ぎて前記止め歯の上に載ることのできる付属部（１６）を含む。【選択図】      図２
2008544184.tif 000002
【特許請求の範囲】
【請求項１】
ビデオ・写真機器（２）用の即時取付装置であって、
前記機器に固定されることのできるプレート（３）の形状にある第１取付部材と、前記機器のための支持用ヘッド（１）へ固定されることのできる、前記プレート（３）のための台座（５）を含んでいる第２取付部材（４）とを備え、
前記第２取付部材（４）は、前記プレートの縁部（６、７）に係合して前記プレートを前記台座（５）の中に保持する、前記プレート（３）を前記台座（５）の中に保持するための手段（９、１０）と、
前記保持用手段に対向して前記台座の中に置かれ、前記プレートの縁部（６、７）を前記保持用手段（９、１０）に押し付けるカムプレッサ（１１）と、
前記プレッサの偶発的な解除を防止するための安全装置（２０）と、
を備え、
前記安全装置は、前記台座（５）の中で傾斜することができるとともに、前記プレッサに作用する止め歯（２６）を有するバネ負荷型アーム（２１）を備え、
前記止め歯は、前記台座に対向している部分に傾斜した平面のある斜面（２７）と、その対向部分における止め肩部（２８）とを含み、
前記プレッサ（１１）は、前記プレートが解除されて前記台座から解除される位置と、前記プレートが前記台座の中にロックされるロック位置とからの通り過ぎにおいて、前記斜面（２７）に接する位置から前記肩部（２８）に接する位置まで通り過ぎて前記止め歯の上に載ることのできる付属部（１６）を含む、
ことを特徴とするビデオ・写真機器（２）用の即時取付装置。
【請求項２】
前記保持手段は、前記台座（５）の中に設けられた少なくとも１つの保持用縁部（６、７）を備える、請求項１に記載の即時取付装置。
【請求項３】
前記台座は、３方側面（６、７）において包囲されているとともに、前記プレッサ（１１）に対応する側面で開放されている、請求項１または２に記載の即時取付装置。
【請求項４】
前記アーム（２１）は、前記台座（５）の中に挿入されたときに前記プレートと相互作用して、前記アームを傾斜させるとともに前記斜面を前記付属物の水準まで下げることのできる突出部（２５）を備える、請求項１に記載の即時取付装置。
【請求項５】
前記プレッサ（１１）は、このプレッサと前記台座との間に作用して、前記プレッサを前記プレートとの係合位置へ付勢するねじりバネ（１４）を備える、先行する請求項の１つまたそれ以上に記載の即時取付装置。
【請求項６】
前記ねじりバネ（１４）は、前記プレッサの付属部（１６）が前記斜面（２７）に係合したときに、前記付属部（１６）が前記止め歯（２６）の上に載るように前記アームを充分に傾斜させる推力構成要素を作り出すようなものである、請求項５に記載の即時取付装置。
【請求項７】
前記止め歯は、前記斜面（２７）の基部に、前記プレートが前記台座から解除されたときに前記付属部（１６）が当接して、前記プレートの前記台座の中への挿入を妨げないような位置に前記プレッサを保持する肩部（２９）を備える、請求項５または６に記載の即時取付装置。
【発明の詳細な説明】
【技術分野】
【０００１】
本発明は、ビデオ機器あるいは写真機器を三脚のヘッドあるいは他の支持体へ連結するように設計され、主請求項の特徴付け節の前に記載された諸構成が組み入れられている即時取付装置に関するものである。
【背景技術】
【０００２】
これらの諸構成が組み入れられている装置は、本出願人の現在の製品範囲から知られている。
【０００３】
これらの知られた装置には、これらが、互いに組み立てなければならず、また、写真（あるいはビデオ−写真）機器が固定されることを保証するためだけでなく、この機器のヘッドから取り外されるときに偶発的に解除されるのを防止するためにも、この機器のヘッドに一体化しなければならない多くの構成部品の使用を必要とする、という重大な欠点を有する。
【発明の開示】
【０００４】
この発明の主要な目的は、上記諸要件を事実上、満たすとともに、同時に少数の構成要素で構成することのできる即時取付装置を提供することである。
【０００５】
この発明の別の目的は、使用するのが簡単かつ安全である即時取付装置を提供することである。
【０００６】
これらの目的および以下に表示される他の目的は、添付された特許請求の範囲に従って構成された即時取付装置によって達成される。
【０００７】
この発明の他の利点および特徴は、単に非限定的な実施例としてもたらされている添付図面を参照して与えられた以下の詳細な説明から明らかになる。
【発明を実施するための最良の形態】
【０００８】
図１には、符号２によって線図式に表わされた写真機器のためのヘッドが全体として表わされている。機器２にはプレート状第１取付部材３が取り付けられており、ヘッド１の上面には、基部を含む第２取付部材４が搭載され、基部の内側には台座５が設けられ、この台座は、以下でいっそう具体的に表わされるように、３方側面において包囲されているとともに、プレート３を取り外し可能に受け入れるように意図されている。これらの取付部材は相まって、この発明による即時取付装置を画定している。
【０００９】
図示されたこの実施例では、プレート３は、対応する傾斜側面６と対向する平行側面７、８とを備え、かつ、上方（写真用カメラ２の方向）へ向かってわずかに先細にされた角錐台形状にある、平面に見て等脚台形の形状を有している。小さい方の側面７と両傾斜側面６とは、台座５の側縁９と前縁１０とにそれぞれ嵌まり込んでいる。上記の側方縁および前方縁９、１０は、プレート３を台座５の中に保持するための保持用手段をともに構成している。この台形および角錐台の形状によって、プレート３を台座５の中に結合して遊びをなくすセルフロッキングという利点がもたらされる。しかしながら、プレート３と台座５とは、異なる形状のもの、例えば平面に見て長方形のものでもよい。
【００１０】
レバー操作型プレッサ１１が、カムプロフィール１３をプレート３の大きい方の側面８へ臨ませるために、軸１２の周りに枢動する。プレッサ１１は、ねじりバネ１４によって、上記プレートが固定された状態にある上記プレートの大きい方の側面にこのプレッサが係合する位置へ向けて弾性的に付勢されている。これは、カムプロフィール１３に対して側方へ延びるレバー１５と、このレバーに対向する側面において上記カムプロフィールから突出している付属部１６とを備える。
【００１１】
カムプロフィール１３には、台座５に収容されたプレート３へ臨ませられたときに取り外すことのできる、実質的に一直線状である第１部分１７と、台座５に収容されたプレート３へ臨ませられたときに保持用縁９および１０に対する圧力によって固定される作用的第２部分１８とを有する。
【００１２】
プレート３の解除に伴うプレッサ１１の偶発的な解除を防止するために、安全装置２０もまた設けられている。安全装置２０にはバネ負荷型アーム２１が備わっており、このアームは、台座５の基部におけるくぼみ２２の中にヒンジ留めされ、かつ、第１端部２３と引金の形状にある対向端部２４とを有している。台座５の中に挿入されたときにプレート３に押し付けられるアーム２１の中間部分は、突出部２５を有する。このアームの上記プレート側の一部には、上記突出部と引金２４との間に止め歯２６が設けられており、これは、側方向き台座５の上の傾斜平面２７と対向側面の上の肩部２８とからなる斜面に載っている。止め歯２６の根元と斜面２７の基部との間には肩部２９がある。
【００１３】
止め歯２６は、付属部１６とともに作用して、以下で明瞭になるような方法によってプレート３の解除状態へのカムプレッサ１１の動きを制限することができる。
【００１４】
プレート３が台座５から解除される状態から始めると、アーム２１は上方の傾斜位置へ押され、レバープレッサ１１は、付属部１６が肩部２９に対して回転し、部分１７が台座５に面する。この段階の間、プレート３が台座５の中へ挿入されるのを妨げるものは何も存在しない。このプレートがいったん上記台座の中へ挿入されると、アーム２１は、プレート３と突出部２５との干渉によって下げられるとともに、付属部１６が部分２７の基部まで動く。ねじりバネ１４の作用の結果としての、付属部１６と傾斜平面部分２７との反作用によって、アーム２１に下向きの推力構成要素が作り出されるが、これは、付属部１６が斜面２７を通り越すとともに肩部２８に当たるまで下げられた結果としてのものである。この状態では、レバープレッサ１１は、上記プレートに当接するとともに、同位置に固定されて、台座５の中におけるプレート３の第１「安全」ロックをもたらす。
【００１５】
ロックすることは、さらに別の回転プレッサ１１によって、作用部分１８がプレート３の縁部に対して強制的に係合しプレート３を対向させるように、改善されている。
【００１６】
このプレートを解除するとともに取り外すために、上記レバーは、先に図示された「安全」位置まで、まず解除される。プレートのさらなる解除および取り外しは、引金２４がゆっくりと下方へ押し付けられ、同時にレバープレッサ１１が回転するときにだけ、可能になる。プレート３が上記台座から解除されると、アーム２１は、付属部１６と肩部２９との間の相互作用の効果によってプレッサ１１が固定される上方位置まで戻る。
【００１７】
従って、この発明は、意図された目的と、簡略化されかついっそう経済的な構成についてのさらに別の利点と、感じのよい形状および小さい寸法に加えて、たとえユーザーによって不適切に操作されても引き続き適用するという付加的な利点がある確実な安全性とを達成する。
【図面の簡単な説明】
【００１８】
【図１】写真機のヘッドに一体化されたこの発明による即時取付装置の、上方から見た平面図である。
【図２】図１におけるヘッドの分解斜視図である。
【図３】異なった角度から見た、図２におけるヘッドの細部の図である。
【図１】
2008544184.tif 000003
【図２】
2008544184.tif 000004
【図３】
2008544184.tif 000005
【国際調査報告】
2008544184.tif 000006
2008544184.tif 000007
2008544184.tif 000008